(57)【要約】      （修正有）【課題】ＵＳＢとＰＳ／２共用の信号アダプタの提供。【解決手段】アダプタ１のベース１１に伝送線１２が接続され、且つ伝送線の別側に信号入力装置が接続され、上述のアダプタはベースの一側にＵＳＢコネクタ１３を具え、並びにベースのＵＳＢコネクタから離れた別側にＰＳ／２コネクタ１４を具え、ＵＳＢコネクタとＰＳ／２コネクタが背向するよう設置されたコネクタであり、使用者が必要により、異なるコネクタを選択して信号伝送を行なうことができる。【選択図】図１
0003102459.tif 000002
【実用新案登録請求の範囲】
【請求項１】
アダプタのベースに伝送線が接続され、該伝送線の別側に信号入力装置が接続されるＵＳＢとＰＳ／２共用の信号アダプタにおいて、
該アダプタはベースの一側にＵＳＢコネクタが延設され、ベースのＵＳＢコネクタから離れた一側にＰＳ／２コネクタが延設され、且つＵＳＢコネクタ或いはＰＳ／２コネクタが対応するコネクタに接続されて信号伝送を行なうことができることを特徴とする、ＵＳＢとＰＳ／２共用の信号アダプタ。
【請求項２】
請求項１記載のＵＳＢとＰＳ／２共用の信号アダプタにおいて、アダプタのベース表面に複数のリブが設けられたことを特徴とする、ＵＳＢとＰＳ／２共用の信号アダプタ。
【請求項３】
請求項１記載のＵＳＢとＰＳ／２共用の信号アダプタにおいて、アダプタのベースが絶縁材料で形成されたことを特徴とする、ＵＳＢとＰＳ／２共用の信号アダプタ。
【請求項４】
請求項１記載のＵＳＢとＰＳ／２共用の信号アダプタにおいて、信号入力装置がマウスとされたことを特徴とする、ＵＳＢとＰＳ／２共用の信号アダプタ。
【請求項５】
請求項１記載のＵＳＢとＰＳ／２共用の信号アダプタにおいて、信号入力装置がキーボードとされたことを特徴とする、ＵＳＢとＰＳ／２共用の信号アダプタ。
【請求項６】
請求項１記載のＵＳＢとＰＳ／２共用の信号アダプタにおいて、信号入力装置がジョイスティックとされたことを特徴とする、ＵＳＢとＰＳ／２共用の信号アダプタ。
【請求項７】
請求項１記載のＵＳＢとＰＳ／２共用の信号アダプタにおいて、信号入力装置が無線受信装置とされたことを特徴とする、ＵＳＢとＰＳ／２共用の信号アダプタ。
【考案の詳細な説明】
【技術分野】
【０００１】
本考案はＵＳＢとＰＳ／２共用の信号アダプタに係り、アダプタのベースにＵＳＢコネクタとＰＳ／２コネクタが設けられ、使用者が自分で異なるコネクタを選択して信号伝送を行なうことができるＵＳＢとＰＳ／２共用の信号アダプタに関する。
【背景技術】
【０００２】
現在、コンピュータテクノロジーは日々成長を続け、コンピュータの発展傾向は演算機能の強化、速度アップ、及び拡充性を高める方向に邁進し、コンピュータシステムと周辺設備は接続線によりデータの伝送を行なう。さらに、現在、コンピュータのキーボードとマウスのほとんどはＰＳ／２インタフェースを使用し、ＰＳ／２インタフェースの特徴は、コネクタがそれ以前のコネクタより小さく、且つＰＳ／２インタフェースを使用したマウスはＣＯＭポートの空間を占用しない。しかし、有効に周辺設備の伝送速度を増すため、新時代の周辺設備インタフェースが生れた。この新時代の周辺設備インタフェースが即ちＵＳＢ（Ｕｎｉｖｅｒｓａｌ  Ｓｅｒｉａｌ  Ｂｕｓ）であり、このようなインタフェースの伝送速度は１．５Ｍｂｐｓと１２Ｍｂｐｓの二種類の形式があり、且つ最多で１２７部の周辺設備に接続でき、並びにその伝送速度はパソコンで使用されるパラレルポート或いはシリアルポートのいずれよりもずっと速く、ゆえにＵＳＢはコンピュータ設備と周辺インタフェースの伝送効率を明らかに高めた。さらに、一般にＵＳＢインタフェースはネットワークカード、ハブ、キーボード、マウス、ジョイスティック、ＣＤドライブ、磁気テープドライブ、プリンタ、スキャナ、デジタルカメラ等のほぼ全ての周辺設備を支援する。しかし、一般に周辺設備の信号伝送コネクタはＰＳ／２或いはＵＳＢを主とし、コンピュータが一種類のコネクタしか具備していなければ、別にアダプタを接続して使用する必要があり、それによりＰＳ／２インタフェースをＵＳＢインタフェースに変換するか、或いはＵＳＢインタフェースをＰＳ／２インタフェースに変換する（図８、９）。しかし、信号をアダプタを介してコンピュータに伝送する時、信号減衰を形成してコンピュータの信号処理のエラーをまねくことがあり、且つ別にアダプタの購入コストがかかり、使用上の不便とコストが形成された。
ゆえに上述の従来の全体設計には更なる改善の必要がある。
【考案の開示】
【考案が解決しようとする課題】
【０００３】
本考案の主要な目的は、アダプタのベース両側にＵＳＢコネクタとＰＳ／２コネクタを設けて、使用者が自分で異なるコネクタを使用して、それと対応するコネクタと信号伝送を行なえるようにすることにある。
【課題を解決するための手段】
【０００４】
請求項１の考案は、アダプタのベースに伝送線が接続され、該伝送線の別側に信号入力装置が接続されるＵＳＢとＰＳ／２共用の信号アダプタにおいて、
該アダプタはベースの一側にＵＳＢコネクタが延設され、ベースのＵＳＢコネクタから離れた一側にＰＳ／２コネクタが延設され、且つＵＳＢコネクタ或いはＰＳ／２コネクタが対応するコネクタに接続されて信号伝送を行なうことができることを特徴とする、ＵＳＢとＰＳ／２共用の信号アダプタとしている。
請求項２の考案は、請求項１記載のＵＳＢとＰＳ／２共用の信号アダプタにおいて、アダプタのベース表面に複数のリブが設けられたことを特徴とする、ＵＳＢとＰＳ／２共用の信号アダプタとしている。
請求項３の考案は、請求項１記載のＵＳＢとＰＳ／２共用の信号アダプタにおいて、アダプタのベースが絶縁材料で形成されたことを特徴とする、ＵＳＢとＰＳ／２共用の信号アダプタとしている。
請求項４の考案は、請求項１記載のＵＳＢとＰＳ／２共用の信号アダプタにおいて、信号入力装置がマウスとされたことを特徴とする、ＵＳＢとＰＳ／２共用の信号アダプタとしている。
請求項５の考案は、請求項１記載のＵＳＢとＰＳ／２共用の信号アダプタにおいて、信号入力装置がキーボードとされたことを特徴とする、ＵＳＢとＰＳ／２共用の信号アダプタとしている。
請求項６の考案は、請求項１記載のＵＳＢとＰＳ／２共用の信号アダプタにおいて、信号入力装置がジョイスティックとされたことを特徴とする、ＵＳＢとＰＳ／２共用の信号アダプタとしている。
請求項７の考案は、請求項１記載のＵＳＢとＰＳ／２共用の信号アダプタにおいて、信号入力装置が無線受信装置とされたことを特徴とする、ＵＳＢとＰＳ／２共用の信号アダプタとしている。
【考案の効果】
【０００５】
本考案のＵＳＢとＰＳ／２共用の信号アダプタは、アダプタのベース両側にＵＳＢコネクタとＰＳ／２コネクタを設けて、使用者が自分で異なるコネクタを使用して、それと対応するコネクタと信号伝送を行なえるようにする。
【考案を実施するための最良の形態】
【０００６】
図１〜図３は、本考案の使用時の斜視図、本考案の使用時の斜視図（一）、及び本考案の使用時の斜視図（二）である。これらの図に示されるように、本考案のアダプタ１は、絶縁材料で形成されたベース１１を具え、該ベース１１に伝送線１２が接続され、且つ該アダプタ１はベース１１の一側にＵＳＢコネクタ１３が延設され、ベース１１のＵＳＢコネクタ１３から離れた別側にＰＳ／２コネクタ１４が延設されている。さらに、上述のアダプタ１はベース１１の表面に複数のリブ１１１が凸設されている。
【０００７】
さらに、上述の部品の組立完成後に、使用者の必要に応じて、ＵＳＢコネクタ１３或いはＰＳ／２コネクタ１４が対応するコネクタ２に接続されて使用され、これにより適用範囲を広げる目的を達成する。
【０００８】
図４、５、６、７は本考案の実施例の斜視図（一）〜（四）である。図示されるように、上述の伝送線１２の一端はアダプタ１のベース１１に接続され、伝送線１２のベース１１から離れた別端にはマウス３、キーボード４、ジョイスティック５、或いは無線受信装置６が接続され、使用者が異なる方式で信号伝送作業を行なうのに供される。
【０００９】
以上は本考案の好ましい実施例の説明に過ぎず、本考案の実施範囲を限定するものではなく、本考案に基づきなしうる細部の修飾或いは改変は、いずれも本考案の請求範囲に属するものとする。
【００１０】
総合すると、本考案はＵＳＢとＰＳ／２共用の信号アダプタを提供し、それは使用時に確実にその機能と目的を達成し、ゆえに実用性に優れた考案であり、実用新案登録の要件を具備している。
【図面の簡単な説明】
【００１１】
【図１】本考案の使用時の斜視図である。
【図２】本考案の使用時の斜視図（一）である。
【図３】本考案の使用時の斜視図（二）である。
【図４】本考案の実施例の斜視図（一）である。
【図５】本考案の実施例の斜視図（二）である。
【図６】本考案の実施例の斜視図（三）である。
【図７】本考案の実施例の斜視図（四）である。
【図８】周知の技術の斜視図である（一）である。
【図９】周知の技術の斜視図である（二）である。
【符号の説明】
【００１２】
１  アダプタ
１１  ベース
１１１  リブ
１２  伝送線
２  コネクタ
３  マウス
４  キーボード
５  ジョイスティック
６  無線受信装置
１３  ＵＳＢコネクタ
１４  ＰＳ／２コネクタ
【図１】
0003102459.tif 000003
【図２】
0003102459.tif 000004
【図３】
0003102459.tif 000005
【図４】
0003102459.tif 000006
【図５】
0003102459.tif 000007
【図６】
0003102459.tif 000008
【図７】
0003102459.tif 000009
【図８】
0003102459.tif 000010
【図９】
0003102459.tif 000011